(57)【要約】【課題】マッサージして血行促進の効果を高めつつ、少なくとも遠赤外線若しくは磁力線を付与するハンドマッサージ器を提供する。【解決手段】マッサージ面２０ａ、裏面２１ａ並びに側面２２で構成された円盤形態の本体２と、生体への効能を有する材料が含まれた回転ボール３とからなるハンドマッサージ器１であって、本体のマッサージ面２０ａの中央に１個並びに該中央を中心とする円軌跡に沿って複数個の回転ボール３が各々回転自在に本体２に保持されると同時にマッサージ面２０ａから露出しており、かつ本体２の裏面２１ａと側面２２とを片手で揺動自在に把持して回転ボール３で生体表面を押圧しながらマッサージする。【選択図】図１
0003106770.tif 000002
【実用新案登録請求の範囲】
【請求項１】
マッサージ面（２０ａ）、裏面（２１ａ）並びに側面（２２）で構成された円盤形態の本体（２）と、生体への効能を有する材料が含まれた回転ボール（３）とからなるハンドマッサージ器（１）であって、
本体のマッサージ面（２０ａ）の中央に１個並びに該中央を中心とする円軌跡に沿って複数個の回転ボール（３）が各々回転自在に本体（２）に保持されると同時にマッサージ面（２０ａ）から露出しており、かつ本体（２）の裏面（２１ａ）と側面（２２）とを片手（４０）で揺動自在に把持して回転ボール（３）で生体表面を押圧しながらマッサージするようにしたことを特徴とするハンドマッサージ器。
【請求項２】
生体への効能を有する材料が少なくとも遠赤外線を発生させる材料、又は磁力線を発生させる材料であることを特徴とする請求項１記載のハンドマッサージ器。
【請求項３】
生体への効能を有する材料である遠赤外線を発生させる材料が含まれる回転ボール（３）と、同磁力線を発生させる材料が含まれる回転ボール（３）とが、交互に前記本体（２）のマッサージ面（２０ａ）の中央を中心とする円軌跡に沿っていることを特徴とする請求項１記載のハンドマッサージ器。
【請求項４】
回転ボール（３）が等間隔に前記本体のマッサージ面（２０ａ）の中央を中心とする円軌跡に沿っていることを特徴とする請求項１〜３のいずれか１項に記載のハンドマッサージ器。
【請求項５】
８個の回転ボール（３）が前記本体のマッサージ面（２０ａ）の中央を中心とする円軌跡に沿っていることを特徴とする請求項１〜４のいずれか１項に記載のハンドマッサージ器。
【請求項６】
６個の回転ボールが（３）前記本体のマッサージ面（２０ａ）の中央を中心とする円軌跡に沿っていることを特徴とする請求項１〜４のいずれか１項に記載のハンドマッサージ器。
【考案の詳細な説明】
【技術分野】
【０００１】
本考案は、ハンドマッサージ器に関するものである。
【背景技術】
【０００２】
生体特に人体を暖めて血行を促進し疲労回復などの効能をもたらす遠赤外線や磁力線等が近年注目を浴びており、遠赤外線を発生させるセラミックやトルマリン、あるいは磁力線を発生させる永久磁石等を包含させた商品も種々開発されている。
その一つとして、下記特許文献１にはトルマリン等の微粉末を練り込んだシリコンゴム
紐素材を螺旋巻きし、紐素材の両端部を互いに接続した人体への装着に適した弾性リングが報告されている。（たとえば、特許文献１参照）
また、永久磁石で作られた磁気バンド（ブレスレット）や磁気ネックレスが肩凝りなどに効くアクセサリとして愛用されているほか、小さな磁気チップを絆創膏等で皮膚に貼り付ける医療品も良く知られている。（たとえば、非特許文献１参照）
【特許文献１】特開２００４−９７４０７号公報（第３頁、第１図）
【非特許文献１】山川正光、”磁石の本”初版、２００１年１１月２８日、日刊工業     新聞社発行、ページ１４４〜１４５「磁石がどうして肩凝りなどの治療に効くのか」
【考案の開示】
【考案が解決しようとする課題】
【０００３】
前記従来技術は、人体に装着したり皮膚に貼り付けを行って、遠赤外線、あるいは磁力線を各々単独で人体に付与するものである。
本考案は、このような人体に装着したり皮膚に貼り付けるような従来技術の問題点を解決できるハンドマッサージ器を提供することを目的とする。
本考案は、血行促進の必要な箇所、たとえば肩凝りの自覚のある箇所、を自身で直接マッサージして血行促進の効果を高めつつ、生体への効能のある、たとえば少なくとも遠赤外線若しくは磁力線を、あるいは遠赤外線と磁力線の両者を同時に、生体特に人体に付与可能とするハンドマッサージ器を提供することを目的とする。
【課題を解決するための手段】
【０００４】
本考案ハンドマッサージ器における課題解決のための具体的手段は、次の通りである。
第１に、マッサージ面、裏面並びに側面で構成された円盤形態の本体と、生体への効能を有する材料が含まれた回転ボールとからなるハンドマッサージ器であって、
本体のマッサージ面の中央に１個並びに該中央を中心とする円軌跡に沿って複数個の回転ボールが各々回転自在に本体に保持されると同時にマッサージ面から露出しており、かつ本体の裏面と側面とを片手で揺動自在に把持して回転ボールで生体表面を押圧しながらマッサージするようにしたことである。
【０００５】
これにより、生体への効能を付与しつつ、生体を直接マッサージすることを可能とする。
第２に、生体への効能を有する材料が少なくとも遠赤外線を発生させる材料、又は磁力線を発生させる材料であることである。
これにより、生体を暖める遠赤外線や血行を促進する磁力線を生体へ付与可能とする。
第３に、生体への効能を有する材料である遠赤外線を発生させる材料が含まれる回転ボールと、同磁力線を発生させる材料が含まれる回転ボールとが、交互に前記本体のマッサージ面の中央を中心とする円軌跡に沿っていることである。
【０００６】
これにより、生体を暖める遠赤外線と血行を促進する磁力線との両者を交互に等しく生体へ付与しながらマッサージすることを可能とする。
第４に、回転ボールが等間隔に前記本体のマッサージ面の中央を中心とする円軌跡に沿っていることである。
これにより、生体を暖める遠赤外線や血行を促進する磁力線を有する回転ボールが均一に等しく生体へ付与しながらマッサージすることを可能とする。
第５に、８個の回転ボールが前記本体のマッサージ面の中央を中心とする円軌跡に沿っていることである。
【０００７】
これにより、中央に１個と、中央を中心とする円軌跡に沿って８個の回転ボールが保持されているので、本体の裏面と側面とを片手で揺動自在に把持しながら、回転ボールを生体表面にバランス良く押圧するマッサージを可能にする。
第６に、６個の回転ボールが前記本体のマッサージ面の中央を中心とする円軌跡に沿っていることである。
これにより、中央に１個と、中央を中心とする円軌跡に沿って６個の回転ボールが保持されているので、本体の裏面と側面とを片手で揺動自在に把持しながら、回転ボールを生体表面にバランス良く押圧するマッサージを可能とする。
【考案の効果】
【０００８】
本考案によれば、自分自身で直接肩凝り箇所等をマッサージして血行促進の効果を高めつつ、少なくとも遠赤外線若しくは磁力線を、あるいは遠赤外線と磁力線の両者を同時に、生体特に人体の肩凝り箇所等に付与することができる。血行促進の他にも、体細胞の調整、体脂肪の抑制、筋肉疲れの解除等に医療効果がある。
特に婦人において、乳房のマッサージにより、乳腺の働きを活発化し、その乳房を豊かに大きくする。特に男性において、頭皮をマッサージすることにより、頭皮の血行を改善し、ストレス、たばこ、アルコール等による頭皮の冷えによる男性型脱毛をなくする。
【０００９】
前記頭皮マッサージでは、入浴タイムを利用したマッサージが有効で、浴槽の内外を問わず浴室で本考案のハンドマッサージ器の使用が可能である。特に入浴タイムを利用したマッサージでは、シャンプーやオイル等を利用して肌の滑りを良くしてマッサージすると効果的である。
また、男性女性を問わず、下腹部を本ハンドマッサージ器でマッサージすることにより、リンパ液の流れを良くする効果がある。
円盤形態の本体の裏面と側面とを片手で揺動自在に把持しながらマッサージが可能であるので、本ハンドマッサージ器自体によるマッサージを客の要望に答えながら実演（パフォーマンス）しつつ、本ハンドマッサージ器を医療用具として店頭販売することができる。
【００１０】
片手で揺動自在に把持しながらマッサージが可能であることから、立居振舞いに制限がある入院患者や、老人ホームでの高齢者においても、片手のみ動かせれば本ハンドマッサージ器を使用できる。
【考案を実施するための最良の形態】
【００１１】
以下、本考案の実施の形態を図面に基づいて説明する。
図１〜３に示すように、本考案のハンドマッサージ器１は、円盤形態の本体２と、回転ボール３とから構成されている。
円盤形態の本体２は、マッサージ面板２０と、裏面板２１と、マッサージ面板２０と裏面板２１とを貫通して穿かれた止めピン孔２３中に挿入された止めピン１０とからなる。
マッサージ面板２０の外面は、本体２のマッサージ面２０ａと側面２０ｄを、裏面板２１の外面は、本体２の裏面２１ａと側面２１ｄを形成する。本体２をとりまく側面２２は、マッサージ面板２０の側面２０ｄと、裏面板２１の側面２１ｄとが繋がったものである。円盤形態の本体２の外面は、マッサージ面２０ａと、裏面２１ａと、それらと９０°方向にあって、円盤形態の本体２をとりまく側面２２とから構成されている。
【００１２】
また、マッサージ面板２０のマッサージ面２０ａ並びに側面２０ｄ以外の面である接合面２０ｅと、裏面板２１の裏面２１ａ並びに側面２１ｄ以外の面である接合面２１ｅとは、互いに密着・接合して、本体２の外に表れた外面とはならず、円盤形態の本体２の外面は、前述のように、マッサージ面２０ａ、裏面２１ａ並びに側面２２で構成されている。なお、マッサージ面板２０と裏面板２１とは、ウレタン系樹脂やポリエステル系樹脂等の軽く柔軟性のある弾性材料よりなる。
止めピン孔２３中に挿入された止めピン１０は太径部１０ａと細径部１０ｂとからなる。この止めピン１０は、マッサージ面板２０と裏面板２１とを貫通して穿かれた止めピン孔２３の中に挿入される。すなわち、裏面板２１の止めピン孔２３（細孔２３ｃ）中に止めピン１０の細径部１０ｂを固定する。
【００１３】
その後、裏面板２１の裏面２１ａの反対側（裏面板２１の接合面２１ｅ側）に突出した止めピン１０の太径部１０ａの先端を、マッサージ面板２０の止めピン孔２３（細孔２３ｂ）の開孔側であるマッサージ面２０ａの反対側である接合面２０ｅ側から、その細孔２３ｂを貫通して太孔２３ａまで挿入して、止めピン１０をマッサージ面板２０と裏面板２１とを貫通する止めピン孔２３中に埋設・固定する。
止めピン１０の太径部１０ａが止めピン孔２３の細孔２３ｂと太孔２３ａとの段差２５に係止される楔効果を発揮し、止めピン１０がマッサージ面板２０と裏面板２１とを離れないように密着・接合させている。
【００１４】
なお、裏面板２１の止めピン孔２３の細孔２３ｃと、マッサージ面板２０の同細孔２３ｂとは同一孔径である。また、止めピン１０と止めピン孔２３は、各々ハンドマッサージ器１の中央（中心）を挟んで相対峙する２箇所に設けているが、さらに数多く設けても構わない。また、止めピン１０は、マッサージ面板２０や裏面板２１と同様、ウレタン系樹脂やポリエステル系樹脂等の軽く柔軟性のある弾性材料であってもよい。
回転ボール３は、円盤形態の本体２のマッサージ面２０ａの中央に１個と、マッサージ面２０ａの中央を中心とする円軌跡に沿って８個とが本体２の回転穴２４において回転自在に保持されると同時にマッサージ面２０ａから露出している。なお、この円軌跡は、８個の回転ボール３の各中心を結ぶ曲線に該当している。
【００１５】
この回転穴２４（図２、図３）は、マッサージ面板２０と裏面板２１とを前記のように密着・接合する前に、回転ボール３が自在に回転するように回転ボール３の直径よりやや大きく、すなわち回転ボール３と回転穴２４との間に間隙２７を設けて作製しておく。もちろん、マッサージ面板２０と裏面板２１とを密着・接合してから、作製してもかまわない。なお、前記間隔２７は回転ボール３と回転穴２４の場所において大小があって、たとえば下記図４〜５の説明で記すように、マッサージ時に回転ボール３が人体表面に押圧された場合等には、ほとんどゼロになる場所も生じる。
【００１６】
全ての回転ボール３は、マッサージ面２０ａから突出して露出し、裏面２１ａには露出することなく本体２の回転穴２４において回転自在に本体２に保持されている。回転ボール３は、滑らかな表面を持ち、かつマッサージ時に回転ボール３が人体表面に押圧されても、回転穴２４において回転自在であって変形や破損は生じない。
この回転穴２４のマッサージ面２０ａ側に、回転ボール３を抱くようにマッサージ面２０ａから突出した保持端２０ｂが設けられている。この保持端２０ｂの先端２０ｃは、回転ボール３の中心３ａよりもマッサージ面２０ａから突出しているため、あたかも回転ボール３を回転ボール３の外周に沿って抱きかかえるように本体２に保持しており、また、回転ボール３は保持端２０ｂの先端２０ｃからも突出しているため、結局回転ボール３はマッサージ面２０ａから露出して回転自在である。
【００１７】
前記円盤形態の本体２のマッサージ面２０ａの中央には、遠赤外線を発生させる材料が含まれる回転ボール３が１個保持されている。なお、この本体２のマッサージ面２０ａの中央の回転ボール３は、遠赤外線を発生させる材料の替わりに磁力線を発生させる材料であっても良い。
生体への効能を有する材料である遠赤外線を発生させる材料が含まれる回転ボール３と、同磁力線を発生させる材料が含まれる回転ボール３とが、円盤形態の本体２のマッサージ面２０ａの中央を中心とする円軌跡に沿って交互に等間隔に８個保持されている。なお、必ずしも交互でなくても構わないし、等間隔でなくても構わない。さらに、８個に限定するものではなく、たとえば６個でも構わない。マッサージするに好ましい個数であれば良い。
【００１８】
遠赤外線を発生させる材料として、例えば、麦飯石セラミック、造礁化石サンゴセラミック、水晶入ハードセラミック、銀系抗菌セラミック、その他の遠赤外線を発生させるセラミック、あるいはトルマリン（電気石）、麦芽石、チタン、ゲルマニュウム、木材、黒炭、その他の遠赤外線を発生させる材料が含まれた回転ボール３を用いている。その際、マイナスイオン等が同時に発生しても構わない。
磁力線を発生させる材料としては、永久磁石等が含まれた回転ボール３を用いる。
前記考案の効果に記載した入浴タイムでのシャンプーやオイル等を利用して肌の滑りを良くしたマッサージでは、シャンプーやオイル等が前記回転穴２４と回転ボール３との間隙２７に入り込み、回転穴２４と回転ボール３との間の潤滑となって回転ボール３の自在な回転に役立つ。
【００１９】
図４〜５に示すように、本考案のハンドマッサージ器１は、円盤形態の本体２の裏面２１ａ側から、片手４０（図４、図５では、右手）、主に指先４１によって裏面２１ａと側面２２とを把持できる。なお、図４、図５のような右手に限らず、左手であってもよく、さらに、指先４１は５本に限定せず、たとえば相応しい３本で把持してもよい。
また、側面２２と裏面２１ａ、及び側面２２とマッサージ面２０ａとの各接合部２６（図２、図３）には滑らかな傾斜が設けられ、片手４０で本考案のハンドマッサージ器１を把持した場合にも感触が良好である。
【００２０】
したがって、本考案のハンドマッサージ器１では、円盤形態の本体２の裏面２１ａと側面２２とを片手で揺動自在に把持し、自由面であるマッサージ面２０ａに露出している回転自在の回転ボール３を人体表面を押圧しながら、人体表面をマッサージするようにしたものである。
なお、本考案は前記実施形態における各部材の形状及びそれぞれの前後・左右・上下の位置関係は、図１〜５示すように構成することが最良である。しかし、前記実施形態に限定されるものではなく、部材、構成を種々変形したり、組み合わせを変更したりすることもできる。
【００２１】
例えば、図６のように、半円環状の被覆枠２８を本体２内に設けて、その被覆枠２８のマッサージ面２０ａから突出した部分を前記保持端２０ｂとしてもよい。すなわち、回転ボール３との潤滑の良い素材で被覆枠２８を別途作成し、マッサージ面板２０と裏面板２１からなる本体２の所定の場所に接着して埋め込み、回転穴２４を形成する。なお、被覆枠２８が本体２の裏面２１ａに露呈しないように、被覆枠２８における外周面２９の裏面方向側２９ａ（図６）は、外周面２９の円弧が内側に切り込まれた形状である。
さらに、太径部１０ａと細径部１０ｂを有する止めピン１０の楔効果によりマッサージ面板２０と裏面板２１とが離れないようにする替わりに、マッサージ面板２０と裏面板２１との接合面２０ｅ、２１ｅとを互いに接着剤で密着・接合することもできる。
【産業上の利用可能性】
【００２２】
生体特に人体以外にも、マッサージが必要である競馬用馬や高級犬等のためのハンドマッサージ器として利用可能である。なお、本考案のハンドマッサージの構造は、数多く製造可能な所謂量産に相応しい。
【図面の簡単な説明】
【００２３】
【図１】本考案の正面図である。
【図２】本考案のＸ矢視一部断面図である。
【図３】本考案のＹ矢視一部断面図である。
【図４】本考案のハンドマッサージ器を片手で把持した正面図である。
【図５】本考案のハンドマッサージ器を片手で把持した背面図である。
【図６】被覆枠の説明図である。
【符号の説明】
【００２４】
１     ハンドマッサージ器
２     本体
３     回転ボール
２０   マッサージ面板
２０ａ マッサージ面
２１   裏面板
２１ａ 裏面
２２   側面
４０   片手
【図１】
0003106770.tif 000003
【図２】
0003106770.tif 000004
【図３】
0003106770.tif 000005
【図４】
0003106770.tif 000006
【図５】
0003106770.tif 000007
【図６】
0003106770.tif 000008